(57)【要約】【課題】一本のリボン布によりバラ形状等に製織した造花に対し、生花に近い絶妙な艶消し具合から醸し出す重厚間を現出し、しかも、全体の保型及び劣化を防止することができるワックスコーティングのリボン布製造花及びその製造方法を提供する。【解決手段】本発明に係るワックスコーティングのリボン布製造花は、一本のリボンの始端部を数回巻いて花部の芯部を形成し、芯部を中心に下手側のリボンに形成した斜め折り部を渦巻き状に巻回していき、この巻回折り部を花弁とし、リボンの終端部は巻回折り部の下側縁の絞り込みに集合固定して花柄部を形成することによりリボンによる造花を構成すると共に、かかる造花を略８０℃のワックス液中に数秒間から数分間浸漬し、その後ワックス液から引上げてワックス表面を乾燥させ、次いで６５±５℃のワックス液中に数秒間浸漬したことを特徴とする。【選択図】図１
2016102271.tif 000002
【特許請求の範囲】
【請求項１】
一本のリボンの始端部を数回巻いて花部の芯部を形成し、芯部を中心に下手側のリボンに形成した斜め折り部を渦巻き状に巻回していき、この巻回折り部を花弁とし、リボンの終端部は巻回折り部の下側縁の絞り込みに集合固定して花柄部を形成することによりリボンによる造花を構成すると共に、かかる造花を略８０℃のワックス液中に十数秒間浸漬し、その後ワックス液から引上げてワックス表面を乾燥させ、次いで６５±５℃のワックス液中に数秒間浸漬したことを特徴とするワックスコーティングのリボン布製造花。
【請求項２】
前記略８０℃のワックス液中への浸漬時間を１０秒以上１５秒以下とし、前記６５±５℃のワックス液中への浸漬時間を略３秒としたことを特徴とする請求項１に記載のワックスコーティングのリボン布製造花。
【請求項３】
一本のリボンの始端部を数回巻いて花部の芯部を形成し、芯部を中心に下手側のリボンに形成した斜め折り部を渦巻き状に巻回していき、この巻回折り部を花弁とし、リボンの終端部は巻回折り部の下側縁の絞り込みに集合固定して花柄部を形成することによりリボンによる造花を構成すると共に、かかる造花を略８０℃のワックス液中に１０秒以上１５秒以下浸漬し、その後ワックス液から引上げてワックス表面を乾燥させ、次いで６５±５℃のワックス液中に略３秒間浸漬したことを特徴とするワックスコーティングのリボン布製造花の製造方法。
【請求項４】
前記６５±５℃のワックス液中への浸漬時間は、最初の略１秒間で浸漬させ、次の略１秒間はワックス液中で保持させ、最後の略１秒間で引上げるように浸漬させることを特徴とする請求項３に記載のワックスコーティングのリボン布製造花の製造方法。
【請求項５】
前記花柄部は外側からワイヤーを巻回して固定したことを特徴とする請求項１乃至４のいずれか１項に記載のワックスコーティングのリボン布製造花またはその製造方法。
【請求項６】
前記略８０℃のワックス液と前記６５±５℃のワックス液とは同一材料で構成したことを特徴とする請求項１乃至５のいずれか１項に記載のワックスコーティングのリボン布製造花またはその製造方法。
【請求項７】
前記造花はバラの花部形状に形成したことを特徴とする請求項１乃至６のいずれか１項に記載のワックスコーティングのリボン布製造花またはその製造方法。
【発明の詳細な説明】
【技術分野】
【０００１】
本発明は、一本のリボン布によりバラ形状等に製織した造花にワックスを浸透させてなるワックスコーティングのリボン布製造花及びその製造方法に関する。
【背景技術】
【０００２】
従来、花束等に付ける装飾リボンとしてループリボンと称される装飾造花リボンがある。これは、一定幅員のリボンを根元部分で捻りループ状に湾曲させて根元に戻して更に捻り、次々に異なる方向にループを形成し、これを繰り返すことにより根元から放射状の多数のループを織っていき装飾的な造花リボンを作製するものである。
【０００３】
一般に帯状のリボンは、このような装飾造花リボンとして使用される。他方、リボンをループリボンよりは生花に近い造花に製織する手法も考案されており、例えばバラのように内周、外周に幾重にも重なった花弁を一本のリボンの製織により作るものがある。
【０００４】
そして、ループリボンは花束や贈答品に付して使用されるものであるため、長期間の保存を必要としない。従って、リボンで製織したままのものが多い。しかし、生花に近い形に製織した装飾リボン造花は、鑑賞用として保存するため表面にシリコン樹脂液やワックスをコーティングして保型とリボン生地の劣化を可及的に防止するような処理がなされる（例えば、特許文献１参照）。
【先行技術文献】
【特許文献】
【０００５】
【特許文献１】特開平６−１４６１０４号公報
【発明の概要】
【発明が解決しようとする課題】
【０００６】
しかし、リボンを造花として製織したもの、特に花部のみをワックスコーティングするものにあっては、リボン生地の表面にワックスが塗布されるだけであるため、リボン生地の劣化と共に表面コーティングが剥離するおそれがあり、花部の花弁間に狭い間隙にまでワックスコーティングが行き渡らず、質感のムラが散在して美感を損なうおそれがあった。
【０００７】
また、いわゆるワックスへのどぶ浸けで花部の表面全体にワックスを塗布する場合には、ワックスの温度や浸漬時間によってワックスの厚みが薄くなりリボンの光沢がそのまま表面に現出したり、ワックスの厚みが厚くなりワックスの質感が表面に現出し過ぎて、生花の絶妙な艶消し具合から醸し出される重厚間を現出させることが困難であった。
【０００８】
更には、ワックスの厚みが厚くなり過ぎることで、花部の微妙な生花に近い形状が消失して生花に近い風合いを現出することが困難となり、せっかく一本のリボンの製織により生花に近い花部の形に現出してもどぶ浸けのワックスがその形状を生かすことができずに不具合な造花としてしか鑑賞できない等の欠点を有していた。
【０００９】
この発明は、一本のリボン布によりバラ形状等に製織した造花に対し、生花に近い絶妙な艶消し具合から醸し出す重厚間を現出し、しかも、全体の保型及び劣化を防止することができるワックスコーティングのリボン布製造花及びその製造方法を提供することにある。
【課題を解決するための手段】
【００１０】
以上のような目的を達成するために、本発明は以下の技術を提供する。
【００１１】
請求項１に係る発明では、一本のリボンの始端部を数回巻いて花部の芯部を形成し、芯部を中心に下手側のリボンに形成した斜め折り部を渦巻き状に巻回していき、この巻回折り部を花弁とし、リボンの終端部は巻回折り部の下側縁の絞り込みに集合固定して花柄部を形成することによりリボンによる造花を構成すると共に、かかる造花を略８０℃のワックス液中に十数秒間浸漬し、その後ワックス液から引上げてワックス表面を乾燥させ、次いで６５±５℃のワックス液中に数秒間浸漬したことを特徴とするワックスコーティングのリボン布製造花を提供せんとするものである。
【００１２】
請求項２に係る発明では、前記略８０℃のワックス液中への浸漬時間を１０秒以上１５秒以下とし、前記６５±５℃のワックス液中への浸漬時間を略３秒としたことを特徴とする請求項１に記載のワックスコーティングのリボン布製造花を提供せんとするものである。
【００１３】
請求項３に係る発明では、一本のリボンの始端部を数回巻いて花部の芯部を形成し、芯部を中心に下手側のリボンに形成した斜め折り部を渦巻き状に巻回していき、この巻回折り部を花弁とし、リボンの終端部は巻回折り部の下側縁の絞り込みに集合固定して花柄部を形成することによりリボンによる造花を構成すると共に、かかる造花を略８０℃のワックス液中に１０秒以上１５秒以下浸漬し、その後ワックス液から引上げてワックス表面を乾燥させ、次いで６５±５℃のワックス液中に略３秒間浸漬したことを特徴とするワックスコーティングのリボン布製造花の製造方法を提供せんとするものである。
【００１４】
請求項４に係る発明では、前記６５±５℃のワックス液中への浸漬時間は、最初の略１秒間で浸漬させ、次の略１秒間はワックス液中で保持させ、最後の略１秒間で引上げるように浸漬させることを特徴とする請求項３に記載のワックスコーティングのリボン布製造花の製造方法を提供せんとするものである。
【００１５】
請求項５に係る発明では、前記花柄部は外側からワイヤーを巻回して固定したことを特徴とする請求項１乃至４のいずれか１項に記載のワックスコーティングのリボン布製造花またはその製造方法を提供せんとするものである。
【００１６】
請求項６に係る発明では、前記略８０℃のワックス液と前記６５±５℃のワックス液とは同一材料で構成したことを特徴とする請求項１乃至５のいずれか１項に記載のワックスコーティングのリボン布製造花またはその製造方法を提供せんとするものである。
【００１７】
請求項７に係る発明では、前記造花はバラの花部形状に形成したことを特徴とする請求項１乃至６のいずれか１項に記載のワックスコーティングのリボン布製造花またはその製造方法を提供せんとするものである。
【発明の効果】
【００１８】
請求項１、３に記載の発明によれば、一本のリボンの始端部を数回巻いて花部の芯部を形成し、芯部を中心に下手側のリボンに形成した斜め折り部を渦巻き状に巻回していき、この巻回折り部を花弁とし、リボンの終端部は巻回折り部の下側縁の絞り込みに集合固定して花柄部を形成することによりリボンによる造花を構成すると共に、かかる造花を略８０℃のワックス液中に十数秒間浸漬し、その後ワックス液から引上げてワックス表面を乾燥させ、次いで６５±５℃のワックス液中に数秒間浸漬したことにより、造花は一本のリボンにより花弁が形成され、かつ、花弁はリボンの斜め折り部の渦巻き状の巻回により形成されているため、形状はあたかも生花の花弁に酷似した印象を付与することができ、しかも、各花弁の上部は開放状となり、その下部、すなわち巻回折り部の絞り込まれた下側縁は、リボンの終端部に集合固定されているため、花部の奥部は緻密に花弁が密集して、更に生花に近い形状を現出することができ、しかもこのような構成とした造花は、二度にわたってワックス液中の浸漬を経ることになり、特に一度目は略８０℃の高温で浸漬するため、ワックス液はリボンの布繊維中に浸透しやすく、一部は気化しながら微細な製織間をコーティングすることもでき、ワックス液は花部の全体、特に深部にわたって浸潤することができ、全体の保型及び劣化防止処理が完全に行うことができると共に、花弁に厚みを持たせることができるという効果がある。
【００１９】
そして、２回目のワックス液の浸漬ではワックス液の固化温度たる略４０℃よりはやや高温の６５±５℃で再浸漬するため更なる保型のための固化を促すことができ、１回目のワックスで固型化した花部の形状の表面に２回目のワックスが低温でコーティングされるためワックスの質感に深みが出ると共に、リボンの色彩とリボンの布の質感がマスキングされて布造花の織物としての風合いを減殺して生花に近い絶妙な艶消し具合を醸し出し重厚間を現出することができる。
【００２０】
更には、１回目のワックスが花弁の細部に入り込んでいても、２回目の低温ワックスでコーティングするため１回目のワックスの剥離や変色を防止し、保存性の高い装飾造花とすることができる効果がある。
【００２１】
請求項２、３に記載の発明によれば、略８０℃のワックス液中への浸漬時間を１０秒以上１５秒以下とし、６５±５℃のワックス液中への浸漬時間を略３秒としたことで、１回目の浸漬で必要以上のワックス液がリボンの布繊維中に浸透せず薄塗りが可能となり、２回目の浸漬による艶消し具合の現出を促すことができる。
【００２２】
更に、ワックス液中からの引き上げ時に花弁が重くなってリボンが解けることを防止することができる。
【００２３】
請求項４に記載の発明によれば、６５±５℃のワックス液中への浸漬時間は、最初の略１秒間で浸漬させ、次の略１秒間はワックス液中で保持させ、最後の略１秒間で引上げるように浸漬させることで、手作業による浸漬であっても時間管理がシンプルであり精度よく作業が行えると共に、ワックスの質感に深みが出て、更に、リボンの色彩とリボンの布の質感がマスキングされて布造花の織物としての風合いを減殺して生花に近い絶妙な艶消し具合を醸し出し重厚間を現出することができる。
【００２４】
請求項５に記載の発明によれば、花柄部は外側からワイヤーを巻回するだけで固定されると共に、ワックス液中への浸漬時間が短時間であることからワックス液中からの引き上げ時に花弁が重くなってリボンが解けることがないので、花柄部を単純な方法で固定することができる。
【００２５】
請求項６に記載の発明によれば、略８０℃のワックス液と６５±５℃のワックス液とは同一材料で構成したので、造花完成時のなじみが良く耐久性に優れていると共に、ワックス液の管理が容易となる。
【００２６】
請求項７に記載の発明によれば、造花はバラの花部形状に形成したので、生花に近い絶妙な艶消し具合を現出した造花として長期間に渡って装飾用として観賞に耐えることができる。
【図面の簡単な説明】
【００２７】
【図１】本発明の実施形態に係る造花を示す斜視図である。
【図２】造花をワックス液中に浸漬した状態を示す説明図である。
【図３】造花の花部の形成手順を時系列で示した説明図である。
【図４】造花の花柄部の形成手順を時系列で示した説明図である。
【発明を実施するための形態】
【００２８】
この発明は、一本のリボンの始端部を数回巻いて花部の芯部を形成し、芯部を中心に下手側のリボンに形成した斜め折り部を渦巻き状に巻回していき、この巻回折り部を花弁とし、リボンの終端部は巻回折り部の下側縁の絞り込みに集合固定して花柄部を形成することによりリボンによる造花を構成すると共に、かかる造花を略８０℃のワックス液中に十数秒間浸漬し、その後ワックス液から引上げてワックス表面を乾燥させ、次いで６５±５℃のワックス液中に数秒間浸漬したことに特徴を有する。
【００２９】
以下、この発明の実施形態を図面に基づき詳説するが、左右同一又は左右対称等の構造や部品については、原則として同一の符号を付し、左右何れか一方のみを説明して、他方については説明を適宜省略する。
【００３０】
図１は本実施形態に係るワックスコーティングのリボン布製造花１を示す斜視図で、図２は該造花１をワックス（蜜蝋）Ｗ液中に漬した状態を示す説明図で、図３（ａ）〜（ｆ）は該造花１の花部２の製作手順を時系列で示した説明図で、図４（ａ）〜（ｃ）は該造花１の花部２の下部に花柄部３を形成して該造花１を完成させる製作手順を示した図である。
【００３１】
本実施形態に係るワックスコーティングのリボン布製造花１（以下、造花１とする）は、花弁４からなる花部２と、花弁４の下部で花弁４を集合固定した花柄部３とで構成している。すなわち、造花１は葉や長い茎を形成せずに花部２と花柄部３のみで構成している。
【００３２】
また、本実施形態に係る造花１は、生花のバラの形態に近似したものとしているが、花の種類はバラに限定されず、例えば、カトレアやユリ等いかなる種類の花であっても本発明の要旨の範囲内において対象となる。
【００３３】
造花１は一本の布製のリボンＲを用いて花弁４と花弁４の中心をなす芯部５を形成して花部２を構成すると共に、リボンＲの終端部Ｒｅが花弁４の下部となるように集合させつつ絞り込みながら外側からワイヤーＦを巻回して固定し、更に外側から布片や紙片で形成した被覆片Ｈを巻回して花柄部３を形成している。
【００３４】
かかる造花１を略８０℃のベースワックスＷ１液中に十数秒間浸漬し、その後ベースワックスＷ１液から引上げてワックス表面を乾燥させ、次いで６５±５℃の仕上げワックスＷ２液中に数秒間浸漬させることで、二度にわたってワックスＷ１，Ｗ２液中の浸漬を経ることで、本実施形態に係るワックスコーティングのリボン布製造花１を作製することができる。
【００３５】
なお、本実施形態に係る造花１は、布製のリボンを用いて製作されるものであり、新鮮な生花を脱水しつつ着色液への浸漬と乾燥を繰り返して製作される高価なプリザーブドフラワー（Ｐｒｅｓｅｒｖｅｄ  Ｆｌｏｗｅｒｓ）とは異なり、生花を用いずに生花に近い絶妙な艶消し具合を現出し、しかも、全体の保型及び劣化を防止することができるものである。
【００３６】
以下、本実施形態に係る造花１の外形を形成する手順を図３に示しながら説明する。
【００３７】
まず、図３（ａ）に示すように、リボンＲの始端部Ｒｆを長手方向にかけて紙面奥側に３〜５回程度巻いて花部２の芯部５を形成する。
【００３８】
次に、図３（ｂ）に示すように、下手側６のリボンＲを後方へ斜め折りしつつ芯部５の上部７も後方に折り込まれるようにして斜め折り部８を形成する。このように形成することで、花部２の表面に現れる芯部５の表面は、一本のリボンＲの端部ではなく折り込まれたリボンＲの側面を曲面として現出させることができる。
【００３９】
図３（ｄ）に示すように、形成した斜め折り部８は、芯部５の軸芯周りに紙面手前側に向けて渦巻き状に巻回する。この場合、リボンＲが２枚に重なった斜め折り部８の重複部９が芯部５の上部と同高さとなるように巻回し、最初の斜め折り部８の終端１０が芯部５に巻かれる直前で巻回を停止する。なお、芯部５への巻回においては図３（ｃ）に示すように、斜め折り部８を撓ませながら巻回することが望ましい。
【００４０】
次に、図３（ｅ）、（ｆ）に示すように、最初の斜め折り部８の終端１０近傍が起点となるように、同様の斜め折り部８（以降は巻回折り部８ａとする）を形成し、同様に重複部９が芯部５の上部と同高さとなるように巻回してその終端１０が巻かれる直前で都度巻回を停止しながら同様の巻回折り部８ａの形成を繰り返す。巻回においては芯部５の下側縁１１を指で摘みながら渦巻き状を保持する。なお、巻回折り部８ａによる芯部５の上部７の折り込みは最初の巻回時のみでよい。
【００４１】
花部２の直径Ｌ２がリボンＲの幅員Ｌ１と略同径となったら、図４（ａ）に示すように、リボンＲの終端部Ｒｅを巻回折り部８ａの下側縁１１の絞り込みに集合固定して花柄部３を形成する。すなわち、指で摘みながら渦巻き状を保持していた芯部５の下部が花柄部３を構成する。なお、リボンＲの長さが長い場合には、終端部Ｒｅに相当する箇所をハサミ等により切断する。
【００４２】
次に、花柄部３の外側を針金等のワイヤーＦを用いて巻回（図示せず）する。このように巻回することで渦巻き状に形成された花弁４は花部２としてその形状を保持することができる。
【００４３】
なお、本実施形態に係るワックスコーティングのリボン布製造花１は、後述するワックスＷ液への浸漬時間が短時間であるため、花弁４に対するワックスＷ液の被覆量が少量であり軽量となるので、ワックスＷ液中からの引上げ時に花弁４の重量で花柄部３が解けることがない。従って、花柄部３の固定には上述のようにワイヤーＦを巻回するのみでよい。
【００４４】
この場合、ワイヤーＦはできるだけ細いほうが望ましく、例えば直径が０．２１ｍｍ（＃３５）のワイヤーＦを用いることで、花柄部３を凹凸の少ない生花に近い外観とすることができる。
【００４５】
また、花柄部３の固定については、図４（ａ）に示すように、花柄部３の外側から針金等のワイヤーＦを用いて、ワイヤーＦを花柄部３の内部に位置する芯部５に貫通させると共に、花柄部３の表面に貫通したワイヤーＦを花柄部３に巻回してもよい。このようにワイヤーＦを貫通させ巻回することで渦巻き状に形成された花弁４は花部２としてその形状を安定して保持することができる。
【００４６】
なお、ワイヤーＦは表面を被覆せず素地の金属(鉄)が露出した銀色の裸ワイヤーや表面に色彩を施した地巻ワイヤー等を用いることができるが、ワイヤーＦを被覆片Ｈで被覆せず、花柄部３に露出したままとする場合には、花部２と花柄部３の色彩を考慮して適当な色彩を施した地巻ワイヤーを使用することが望ましい。
【００４７】
また、図４（ｂ）に示すように、花柄部３には一方の面に接着剤（糊材）が塗布された帯状の紙片または布片の被覆片Ｈを巻回して花柄部３を巻回するワイヤーＦ全体を被覆すると共に、最下部のリボンＲが全て被覆されるように巻回することで図４（ｃ）に示すような造花１ａの形状が完成する。
【００４８】
なお、被覆片Ｈの色彩は花弁４を構成するリボンＲの色とは異なる色彩を選択することで花部２と花柄部３とのコントラストが生じ、花部２をより強調させることもできる。特に、花柄部３にはモスグリーンの被覆片（フローラテープ）Ｈを用いることで、より生花のバラに近い色彩を現出することができる。
【００４９】
このように、造花１は一本のリボンＲにより花弁４が形成され、かつ、花弁４はリボンＲの巻回折り部８ａの渦巻き状の巻回により形成されているため、形状はあたかも生花のバラの花部に酷似した印象を付与することができ、しかも、各花弁４の上部は開放状となり、その下部、すなわち巻回折り部８ａの絞り込まれた下側縁１１は、リボンＲの終端部Ｒｅに集合固定されているため、花部２の奥部は緻密に花弁４が密集して、更に生花のバラに近い形状を現出することができる。
【００５０】
以上のようにして形成された造花１ａは、二度にわたるワックスＷ１，Ｗ２液中への浸漬によりワックスコーティングのリボン布製造花１として完成する。
【００５１】
具体的には、図２に示すように造花１ａ全体を浸漬可能な大きさのワックス桶ＳにベースワックスＷ１を充填する。ワックス桶ＳはベースワックスＷ１を加熱するため金属等の耐熱性を有する材料を用いる。
【００５２】
ワックスＷは沸点が略２００℃で凝固点が略４０℃である動物系の蜜蝋や植物系のカルナウバワックス、石油系のパラフィン等を主成分とする様々なワックスＷを用いることができる。
【００５３】
なお、本実施形態に係るワックスＷは、パラフィン系のナチュレ・メモ（ペガサスキャンドル株式会社製）を使用し、外側のハードワックスをハンマー等で叩いてその内部の透明なワックスのみを用いている。
【００５４】
また、ベースワックスＷ１と仕上げワックスＷ２は同一であり、加熱温度のみ異なるものである。
【００５５】
また、ワックスＷを着色するには、ワックスＷにクレヨンを粉状にしたものを加えたり、油性染料等を加えて溶融させればよい。
【００５６】
次に、ベースワックスＷ１が充填されたワックス桶Ｓを加熱してベースワックスＷ１自体が略８０℃となるように維持する。
【００５７】
１回目の浸漬は、花弁４が下方となるように花柄部３の端部１２を摘みながらベースワックスＷ１液中に造花１ａをゆっくりと浸漬させる。この場合、花柄部３の大部分を浸漬することが望ましい。
【００５８】
花柄部３の端部を除く造花１ａ全体の浸漬時間は、浸漬開始から１０秒以上で１５秒以内に造花１ａ全体を引上げることが必要である。
【００５９】
ワックス桶Ｓ中のベースワックスＷ１から造花１ａを引上げた後、造花１ａを被覆するベースワックスＷ１表面を乾燥させる。浸漬により花弁４が変形した場合には、乾燥時に形を整えることができる。
【００６０】
表面が充分に乾燥したら２回目の浸漬を行う。また、２回目の浸漬には仕上げワックスＷ２を用いる。仕上げワックスＷ２自体が６５±５℃となるように加熱維持された別途のワックス桶Ｓに造花１ａの花弁４が下方となるように花柄部３の端部１２を摘みながら仕上げワックスＷ２液中に造花１ａを浸漬させる。この場合、１回目の浸漬により漬した花柄部３の箇所まで浸漬されるようにすることが望ましい。
【００６１】
なお、仕上げワックスＷ２の温度は略６５℃が望ましいが、使用するワックスの性質により６０℃以上７０℃以下の範囲で調整することができる。
【００６２】
そして、花柄部３の端部を除く造花１ａ全体の浸漬時間は、浸漬開始から略３秒として造花１ａ全体を引上げることが必要である。
【００６３】
なお、本実施形態では、最初の略１秒間で浸漬させ、次の略１秒間は仕上げワックスＷ２液中で保持させ、最後の略１秒間で引上げるように浸漬させている。
【００６４】
ワックス桶Ｓ中の仕上げワックスＷ２から造花１ａを引上げた後、造花１ａを被覆する仕上げワックスＷ２表面を乾燥させる。浸漬により花弁４が変形した場合には、乾燥時に形を整えることができる。
【００６５】
以上のように、二度にわたってベースワックスＷ１液と仕上げワックスＷ２液中の浸漬を経ることになり、特に一度目は略８０℃の高温で浸漬するため、ベースワックスＷ１液はリボンＲの布繊維中に浸透しやすく、一部は気化しながら微細な製織間をコーティングすることもでき、ベースワックスＷ１液は花部２の全体、特に深部にわたって浸潤することができ、全体の保型及び劣化防止処理を完全に行うことができると共に、花弁４に厚みを持たせることができる。
【００６６】
そして、２回目の仕上げワックスＷ２液の浸漬では仕上げワックスＷ２液の固化温度たる略４０℃よりはやや高温の６５±５℃で再浸漬するため更なる保型のための固化を促すことができ、１回目のベースワックスＷ１で固型化した花部２の形状の表面に２回目の仕上げワックスＷ２が低温でコーティングされるためワックスの質感に深みが出ると共に、リボンＲの色彩とリボンＲの布の質感がマスキングされて布造花の織物としての風合いを減殺して生花に近い絶妙な艶消し具合を醸し出し重厚間を現出することができる。
【００６７】
更には、１回目のベースワックスＷ１が花弁４の細部に入り込んでいても、２回目の低温仕上げワックスＷ２でコーティングするため１回目のベースワックスの剥離や変色を防止し、保存性の高い装飾造花１とすることができる効果がある。
【００６８】
また、略８０℃のワックスＷ１液中への浸漬時間を１０秒以上１５秒以下とし、６５±５℃のワックスＷ２液中への浸漬時間を略３秒としたことで、１回目の浸漬で必要以上のワックスＷ１液がリボンＲの布繊維中に浸透せず薄塗りが可能となり、２回目の浸漬による艶消し具合の現出を促すことができる。
【００６９】
更に、ワックスＷ１，Ｗ２液中からの引き上げ時に花弁が重くなってリボンが解けることを防止することができる。
【００７０】
また、６５±５℃のワックスＷ２液中への浸漬時間は、最初の略１秒間で浸漬させ、次の略１秒間はワックスＷ２液中で保持させ、最後の略１秒間で引上げるように浸漬させることで、手作業による浸漬であっても時間管理がシンプルであり精度よく作業が行えると共に、ワックスの質感に深みが出て、更に、リボンＲの色彩とリボンＲの布の質感がマスキングされて布造花の織物としての風合いを減殺して生花に近い絶妙な艶消し具合を醸し出し重厚間を現出することができる。
【００７１】
また、花柄部３は外側からワイヤーＦを巻回するだけで固定されると共に、ワックスＷ１，Ｗ２液中への浸漬時間が短時間であることからワックスＷ１，Ｗ２液中からの引き上げ時に花弁４が重くなってリボンＲが解けることがないので、花柄部３を単純な方法で固定することができる。
【００７２】
また、略８０℃のワックスＷ１液と６５±５℃のワックスＷ２液とは同一材料で構成したので、造花１完成時のなじみが良く耐久性に優れていると共に、ワックスＷ液の管理が容易となる。
【００７３】
更に、造花１はバラの花部形状に形成したので、生花に近い絶妙な艶消し具合を現出した造花１として長期間に渡って装飾用として観賞に耐えることができる。
【００７４】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００７５】
Ｆ  ワイヤー
Ｈ  被覆片
Ｒ  リボン
Ｒｆ  始端部
Ｒｅ  終端部
Ｗ  ワックス
Ｗ１  ベースワックス
Ｗ２  仕上げワックス
１  ワックスコーティングのリボン布製造花
１ａ  ワックスコーティングのリボン布製造花（ワックス浸漬前）
２  花部
３  花柄部
４  花弁
５  芯部
６  下手側
８  斜め折り部
８ａ  巻回折り部
１１  下側縁
【図１】
2016102271.tif 000003
【図２】
2016102271.tif 000004
【図３】
2016102271.tif 000005
【図４】
2016102271.tif 000006